(57)【特許請求の範囲】
【請求項１】
照明器具取付部材の前面に、照明灯と、照明灯を照明カバーで着脱自在に覆わせる為に照明カバーの背面に設けた被係止部を前方から嵌め込み係止させる係止部と、前方に向けて突設されるとともに照明カバーを取り付けた状態において照明カバー内に突入して照明カバーの内面上部に上端を接近させる落下防止用突部と、照明灯の上方から前方に向けて突設されるとともに照明カバーを取り付けた状態において照明カバーの外面上部に下端を接近させる第二落下防止用突部とを、被係止部が係止部から抜け出て照明カバーの先端が下方に傾斜した時点で落下防止用突部及び又は第二落下防止用突部が該照明カバーと当接して落下を防止するように設けて成ることを特徴とする照明カバーの取付構造。
【請求項２】
照明器具取付部材の前面の両側端部にガイド部を設けるとともに両ガイド部に夫々テーパ面を設け、上記両テーパ面を平面視において照明器具取付部材の前面に近いほど側端部に近くなるような略ハ字状に形成することを特徴とする請求項１に記載の照明カバーの取付構造。
【発明の詳細な説明】
【０００１】
【発明の属する技術分野】
本発明は、洗面化粧台のミラーキャビネットに取り付けた照明カバーの落下を防止する為の技術に関する。
【０００２】
【従来の技術】
洗面化粧台に備えるミラーキャビネットとしては、ミラーキャビネット本体１の前面上方にて照明灯１１を覆うように照明カバー４を取り付けたものが一般的であり、図８には従来例における照明カバー４の取付構造が示してある。ミラーキャビネット本体１の前面に備えたミラー２の上方にて、中空のボックス状に形成した照明カバー４を備え付けることで照明灯１１の全体を照明カバー４の中空部内に収納してある。上記照明カバー４の背面の両側端部には上下一対のストライク５が夫々突設してあるとともに、ミラーキャビネット本体１の正面の両側端部には弾性材料を用いて上下一対のラッチ６が夫々設けてあり、ストライク５を前方からラッチ６に嵌め込み係止させることで照明カバー４をミラーキャビネット本体１の前面上部に着脱自在に備え付けてあるので、照明カバー４内の清掃や照明灯１１の交換を行なう際には引張る等して外力を加えるだけで簡単に取り外すことができるとともに、取り付け作業も簡単であった。
【０００３】
【発明が解決しようとする課題】
しかし、上記した従来の照明カバー４では、例えばミラーキャビネット本体１の上方に設けた収納棚（図示せず）から物が落ちる等して図示したような外力Ａが照明カバー４の上方から加わった場合に、上下一対に設けたストライク５が夫々ラッチ６から外れて照明カバー４が落下し、使用者に怪我をさせたり照明カバー４を破損してしまう場合があった。
【０００４】
本発明は上記の点に鑑みてなされたものであり、照明カバーの着脱が容易であり、且つ、上方より外力Ａが加わったとしても照明カバー４がそのまま落下してしまうことのない照明カバー４の取付構造を提供することを課題とするものである。
【０００５】
【課題を解決するための手段】
上記課題を解決するために本発明に係る照明カバーの取付構造を、照明器具取付部材の前面に、照明灯と、照明灯を照明カバーで着脱自在に覆わせる為に照明カバーの背面に設けた被係止部を前方から嵌め込み係止させる係止部と、前方に向けて突設されるとともに照明カバーを取り付けた状態において照明カバー内に突入して照明カバーの内面上部に上端を接近させる落下防止用突部と、照明灯の上方から前方に向けて突設されるとともに照明カバーを取り付けた状態において照明カバーの外面上部に下端を接近させる第二落下防止用突部とを、被係止部が係止部から抜け出て照明カバーの先端が下方に傾斜した時点で落下防止用突部及び又は第二落下防止用突部が該照明カバーと当接して落下を防止するように設けて成ることを特徴とする照明カバーの取付構造とする。
【０００６】
このようにすることで、照明カバーの上方から外力が加わり被係止部が係止部から外れた時には、照明カバーの先端が下方に傾斜した時点で落下防止用突部の上端が照明カバーの内面上部を係止するか、または第二落下防止用突部の下端が照明カバーの外面上部を係止するか、またはその両方の係止によって照明カバーがそのまま落下することを防止する。
【０００８】
また、照明器具取付部材の前面の両側端部にガイド部を設けるとともに両ガイド部に夫々テーパ面を設け、上記両テーパ面を平面視において照明器具取付部材の前面に近いほど側端部に近くなるような略ハ字状に形成してもよく、このようにすることで、照明カバー背面の両側端部のどちらかをガイド部のテーパ面に当接させてスライドさせるだけで、照明カバーの水平方向の位置合わせを行なうことができる。
【０００９】
【発明の実施の形態】
以下、本発明を添付図面に示す実施の形態に基づいて説明する。図２（ａ）〜（ｃ）には本発明の実施の形態における一例の照明カバー４が示してある。該照明カバー４は従来例で示したものと同様に中空のボックス形状であるとともに、その背面には中空部と連通した開口部４ａを有している。更に照明カバー４の背面の両側端部には先端近傍を緩やかに膨らまして成形したストライク５が上下一対に夫々突設してある。
【００１０】
図３（ａ）、（ｂ）には一例のミラーキャビネット本体１の前面上部であって照明器具を取り付ける為の部分を示している。図示したようにミラーキャビネット本体１の前面上部の両側端部には、略水平方向に厚みを有した板状の落下防止用突部７が夫々前方に向けて突設してあるとともに、それら両落下防止用突部７の外側の側面には板状のガイド部８が夫々落下防止用突部７と直交して一体に立設してあり、また両落下防止用突部７の内側の側面からは補強用リブ９が夫々延設してある。上記両ガイド部８にはテーパ面８ａが夫々形成してあり、図３（ａ）に示すように平面視したときに略ハ字状、つまり、ミラーキャビネット本体１の前面に近くなる程に側端部に寄りに位置するような形状に両テーパ面８ａを形成している。更にミラーキャビネット本体１の前面上端からは、複数の第二落下防止用突部１０が前方に向けてつば状に立設してある。上記落下防止用突部７とガイド部８及び第二落下防止用突部１０は本発明の特徴的構成であるので、以下、これらの構成及び作用について更に詳細に述べる。
【００１１】
図４や図６等に示すように側面視において、落下防止用突部７の上端前方には先端部７ａが鋭角に形成されており、該先端部７ａは第二落下防止用突部１０の下端から上下方向において適当な距離を隔てて下方に位置させている。この落下防止用突部７と第二落下防止用突部１０との間に照明カバー４の上部を背面側から挿し込んで照明カバー４をミラーキャビネット本体１に取り付けると、落下防止用突部７は照明カバー４の中空部内に突入するとともにその先端部７ａが照明カバー４の内面上部に接近した状態となる。また、第二落下防止用突部１０はその下端が照明カバー４の外面上部に接近した状態となる。ミラーキャビネット本体１の前面であってミラー２を取付ける為の面と照明カバ−４を取付ける面との間には段部１２が設けてあり、照明カバー４の取り付け時には段部１２と落下防止用突部７の下端の間に照明カバー４の下部が挿し込まれた状態となる。
【００１２】
照明カバー４のミラーキャビネット本体１への係止は、ミラーキャビネット本体１の前面の両側端部に立設した落下防止用突部７の更に端側に夫々上下一対ずつ設けた凹状のラッチ６に、照明カバー４の背面の両側端部に夫々上下一対ずつ立設した凸状のストライク５を嵌め込み係止することで行なわれる。上記ラッチ６は弾性材料により形成してあるので、前方から嵌め込むだけで照明カバー４を容易に取付けることができ、また、前方に引き抜くだけで容易に取り外すことができる。
【００１３】
また、照明カバー４の取り付けは使用者にとって比較的高い位置で行なわれるのだが、上記したガイド部８を利用することで取り付け時の位置合わせが容易となる。つまり、照明カバー４の背面における両側端部のどちらかをガイド部８のテーパ面８ａに当接させた後にミラーキャビネット本体１の前面に向けて該テーパ面８ａ上を滑らせれば、ミラーキャビネット本体１と当接した時点で照明カバー４の取り付け位置が水平方向において合わされるので、その後は照明カバー４を垂直方向にスライドさせるだけでストライク５とラッチ６が嵌合するように位置合わせができる。
【００１４】
照明灯１１は図５に示すようにミラーキャビネット本体１の両側端部の落下防止用突部７に挟まれ且つ前方に飛び出た位置に設置されるものであり、上記したように照明カバー４の背面をミラーキャビネット本体１の前面に取り付ければ、開口部４ａを介して該照明灯１１は照明ケース４の中空部内に全体が収納される。この収納により照明灯１１が照明カバー４に覆われた状態を図７に示してあるが、図中にて照明灯１１を斜めに設置してあるのは照明灯１１を二つ水平方向に配設したものにあって照明カバー４の中央部が他の部分よりも暗く照らされることを防ぐ為である。
【００１５】
このように落下防止用突部７及び第二落下防止用突部１０をキャビネット本体１の前面から前方に向けて突設しているので、図１に示すように照明カバー４の上方から外力Ａが加わった場合には、照明カバー４に上下一対に立設したうちの上側のストライク５がラッチ６から抜け出て照明カバー４の先端が下方に傾斜した時点で、照明カバー４の内面上部が落下防止用突部７の先端部７ａと当接するか、または照明カバー４の外面上部が第二落下防止用突部１０の下端と当接するか、若しくはその両方の当接によって照明カバー４は下側のストライク５がラッチ６と嵌合した状態で係止される。従って、例えばミラーキャビネット本体１の上方から落下した物が照明カバー４に当たった場合でも照明カバー４の落下は防止される。
【００１６】
但し、照明カバー４の内面上部と当接して落下を防止するのは先端部７ａに限らず落下防止用突部７の上端であれば構わない。また、照明カバー４の取り付け時に落下防止用突部７の上端が照明カバー４の内面上部と当接したり、第二落下防止用突部１０の下端が照明カバー４の外面上部と当接するように構成したものであっても構わない。
【００１７】
【発明の効果】
上記のように本発明にあっては、照明カバーの取付構造を、照明器具取付部材の前面に、照明灯と、照明灯を照明カバーで着脱自在に覆わせる為に照明カバーの背面に設けた被係止部を前方から嵌め込み係止させる係止部と、前方に向けて突設されるとともに照明カバーを取り付けた状態において照明カバー内に突入して照明カバーの内面上部に上端を接近させる落下防止用突部と、照明灯の上方から前方に向けて突設されるとともに照明カバーを取り付けた状態において照明カバーの外面上部に下端を接近させる第二落下防止用突部とを、被係止部が係止部から抜け出て照明カバーの先端が下方に傾斜した時点で落下防止用突部及び又は第二落下防止用突部が該照明カバーと当接して落下を防止するように設けて構成したことで、照明カバーの上方から外力が加わって被係止部が係止部から外れた時には、照明カバーの先端が下方に傾斜した時点で落下防止用突部の上端が照明カバーの内面上部を係止するか、または第二落下防止用突部の下端が照明カバーの外面上部を係止するか、またはその両方の係止によって照明カバーがそのまま落下することがなくなるので、照明カバーの落下により使用者が怪我を負ったり照明カバーが破損したりすることを防止できるという効果がある。
【００１９】
また、照明器具取付部材の前面の両側端部にガイド部を設けるとともに両ガイド部に夫々テーパ面を設け、上記両テーパ面を平面視において照明器具取付部材の前面に近いほど側端部に近くなるような略ハ字状に形成することで、照明カバー背面の両側端部のどちらかをガイド部のテーパ面に当接させてスライドさせれば照明カバーの水平方向の位置合わせができ、照明器具の取付位置が高い場所にある場合であっても照明カバーの取り付けを容易に行なうことができるという効果がある。
【図面の簡単な説明】
【図１】本発明の実施の形態における一例の照明カバーに上方より外力がかかった場合の説明図である。
【図２】一例の照明カバーを示しており、（ａ）は平面図、（ｂ）は縦断面図、（ｃ）は正面図である。
【図３】一例のミラーキャビネット本体の上部を示しており、（ａ）は平面図、（ｂ）は正面図である。
【図４】図３（ｂ）の概略Ｈ−Ｈ′断面図である。
【図５】図３（ｂ）の概略Ｉ−Ｉ′断面図である。
【図６】一例のミラーキャビネットの上部を示す概略縦断面図である。
【図７】一例のミラーキャビネットの上部に照明灯と照明カバーを備えた状態を示す概略縦断面図である。
【図８】従来の照明カバーの取付構造を有したミラーキャビネットにおいて照明カバーに上方から外力がかかった場合を示す説明図である。
【符号の説明】
１  ミラーキャビネット本体
４  照明カバー
５  ストライク
６  ラッチ
７  落下防止用突部
７ａ  先端部
８  ガイド部
８ａ  テーパ面
１０  第二落下防止用突部
１１  照明灯
Ａ  外力
【図１】
0003818071.tif 000002
【図２】
0003818071.tif 000003
【図３】
0003818071.tif 000004
【図４】
0003818071.tif 000005
【図５】
0003818071.tif 000006
【図６】
0003818071.tif 000007
【図７】
0003818071.tif 000008
【図８】
0003818071.tif 000009